(57)【特許請求の範囲】
【請求項１】
洗濯機の外槽の上端に設置され、騷音及び泡のこぼれを防止するタブカバーにおいて、
前記タブカバーは、ほぼ環状の上面部と、
前記外槽の上部に密着される密着部と、
前記密着部から水平に延設され、前記外槽に結合される結合部と、
前記上面部の底面に形成され、洗濯水を案内する洗濯水案内手段とを含み、
前記洗濯水案内手段は、
前記上面部の内径と外径との間を連結するように所定の間隔で形成される多数の主方向転換部材と、
前記上面部の内径から始め、タブカバーと同心円を描きながら延長される多数の補助方向転換部材と、
前記主方向転換部材と前記補助方向転換部材との間に形成され、洗濯水を案内する主流路と、
前記タブカバーの上面部の内径端から下方に折り曲げられ、前記案内された洗濯水を前記外槽内の内槽の内部に向けて垂直な方向に再び案内する垂直方向転換部材と、を含み、
前記主流路の出口の幅は前記主流路の入口の幅より狭く形成され、前記垂直方向転換部材は前記主流路の出口端に配置されるタブカバー。
【請求項２】
前記主方向転換部材の先端と補助方向転換部材の先端との間隔は前記密着部と前記補助方向転換部材との間隔より狭い請求項１に記載のタブカバー。
【請求項３】
前記主方向転換部材の先端と補助方向転換部材の先端との間の空間には緩衝部材が設置される請求項１に記載のタブカバー。
【請求項４】
前記多数の主方向転換部材は、前記上面部の内径と外径とを連結するようにそれぞれが形成される多数の第１主方向転換部材と、
前記第１主方向転換部材と対称してそれぞれが形成される多数の第２主方向転換部材とを含み、
前記多数の補助方向転換部材は、前記第１主方向転換部材のいずれか一つの先端と離隔した内径部から始まって、前記タブカバーと同心円を描きながら延長され、前記第１主方向転換部材の他の一つの前側に形成された第２補助方向転換部材の先端と離隔した内径部に連結される多数の補助方向転換部材を含む請求項１に記載のタブカバー。
【請求項５】
前記第１主方向転換部材と隣接している第２主方向転換部材との間には多数の補強部材がさらに含まれる請求項４に記載のタブカバー。
【請求項６】
前記洗濯水案内手段は、前記補助方向転換部材と前記垂直方向転換部材との間に形成され、洗濯水を案内する補助流路をさらに含む請求項１に記載のタブカバー。
【請求項７】
前記垂直方向転換部材は前記補助流路の出口端に配置される請求項６に記載のタブカバー。
【発明の詳細な説明】
【技術分野】
【０００１】
本発明は全自動洗濯機に関し、より詳しくは洗濯物に洗濯水を透過させることにより洗濯を行う透過方式洗濯機及びその制御方法に関する。また、本発明は前記透過方式洗濯機への使用が適したタブカバーに関する。
【背景技術】
【０００２】
洗濯機は洗濯物に衝撃などのエネルギーを加えて汚染物を剥離させる装置であり、洗濯物にエネルギーを加える方式によってパルセータ洗濯機、ドラム洗濯機及びアジテータ洗濯機などに分けられる。即ち、パルセータまたはアジテータによって洗濯物に衝撃を与えるか、ドラムの回転によって洗濯物を落下させて洗濯物に衝撃を与えることにより洗濯物を洗濯する。
【０００３】
図１は従来のパルセータ方式洗濯機を示す従断面図であって、同図を参照して従来のパルセータ方式洗濯機を説明すると次の通りである。
【０００４】
洗濯水を貯蔵する外槽(outer tub)２の内部には多数の洗濯孔５が形成された内槽(inner tub)３が回転可能に設けられ、前記内槽３の内部にはパルセータ４が回転可能に設けられる。そして、外槽２の底面には洗濯水を外部に排出するための排水バルブ９が設けられる。一方、内槽３に結合された脱水軸６ａ及びパルセータ４に結合された洗濯軸６には外槽２の底面に設けられたモータ８の回転力が伝達され、これにより、前記内槽３及びパルセータ４は回転する。ここで、前記洗濯軸６と脱水軸６ａはクラッチ７によって結合或いは分離される。  
【０００５】
一方、外槽２の上部にはタブカバー１１が設置されるが、以下、これを図２を参照して説明する。タブカバー１１は、ほぼ環状に構成され、外槽２及び内槽３の上部に位置する上面部１１ａと、前記上面部１１ａの一端から上下に延設され、前記外槽２の内側に密着する密着部１１ｂと、前記密着部１１ｂにほぼ垂直に突設され、外槽２と多数のスクリュー１４によって結合される結合部１１ｃとからなる。前記タブカバー１１は騒音防止、泡のこぼれを防止する機能を果たし、また、内槽と外槽の間に異物質が流入されることを防止する。
【０００６】
以下、図１及び図２を参照して上述した従来のパルセータ方式洗濯機の作用を説明する。
【０００７】
洗濯機の動作は洗濯工程、濯ぎ工程及び脱水工程に分けられるが、各モードが順次行われて洗濯が行われる。まず、洗濯工程を説明する。内槽３の内部に洗濯物を入れて洗濯機を動作させると、洗濯水が給水され、前記洗濯水は一定水位まで内槽３と外槽２を満たす。給水が完了すると、内槽３は停止状態でモータ８が間歇的に正、逆回転する。従って、モータ８の回転力によってパルセータ４が正、逆回転をしながら洗濯物を洗濯する。即ち、パルセータ４が正逆回転を繰返し行って内槽３内の洗濯物を回転させるとともに水流を生じさせる。すると、洗濯物はパルセータ４との衝撃、水流及び内槽３との摩擦作用、及び洗剤の乳化作用などによって洗濯される。一定時間洗濯工程が行われた後は、排水バルブ９が開放されて汚染された洗濯水が外部に排出される。その後、再び内槽３内にきれいな洗濯水を供給し、パルセータ４を回転させて、設定された回数だけ濯ぎ工程を施す。脱水工程では洗濯軸６と脱水軸６ａとが結合された状態で、内槽３とパルセータ４が一緒に一方向に高速回転する。従って、洗濯水は洗濯孔５を通して外槽２に排出され、外槽２に排出された洗濯水は排水バルブ９を介して外部に排出される。
【０００８】
しかし、従来の洗濯機は主にパルセータ、アジテータなどの機械的エネルギーを用いて洗濯を行うので、要求される洗浄度を満足させるには所定速度以上の回転力が必要となる。よって、洗濯物が縺れるか損傷するのを避け難かった。また、従来の洗濯機は内槽及び外槽に水が満たされた状態で洗濯機が動作するので、洗濯時に用いられる洗濯水の水量及び洗剤量が増加し、直接的に洗濯時間と関係のない給排水時間の増加で全体的な洗濯時間が増加するという問題点があった。
【０００９】
従って、洗濯物を揉み洗わないか衝撃を与えずに洗濯を行うための研究が行われてきた。その一つが透過方式洗濯機である。つまり、周知のように、洗濯物の繊維組織と繊維組織との間を通過する洗濯水の流速が洗濯物に対して所定速度以上の相対流速を有すると、洗濯が可能である。従って、洗濯水を所定の流速以上で洗濯物に透過させると、洗濯物を揉み洗うか捻り絞らなくても洗濯が可能であり、このような原理を用いたものが透過方式洗濯機である。従来の透過方式洗濯機は、アメリカ特許５，１９１，６６７に開示されているように、一般に内槽の洗濯物に所定速度以上洗濯水を噴射する別途の洗濯水噴射装置を設置するとともに、洗濯水を前記洗濯水噴射装置にポンピングする別途のポンプが設置される。よって、洗濯機の構造が複雑になり、洗濯に必要な噴射力を得るためには大容量のポンプが必要となるという問題点があった。従って、パルセータ方式洗濯機の補助手段として用いられる場合が多かった。
【００１０】
また、日本特許出願番号昭５１−１３４１６は内槽を回転させ透過洗濯を行う洗濯機を開示しているが、この洗濯機は次のような問題点があった。
【００１１】
（１）内槽が一方向にのみ回転するため洗濯水は洗濯物の所定の位置に透過される。したがって、洗濯物は洗濯のできる部分とできない部分が生ずる洗濯偏差が発生する。
【００１２】
（２）透過方式洗濯のみを用いるので洗濯効率が落ちる。なぜなら、透過方式洗濯機は洗濯物の損傷やよれを防止することはできるが、一般的に洗濯の効率はパールセータ方式洗濯機より落ちるからである。
【００１３】
（３）内槽と外槽の間で上部にポンピングされた洗濯水を再び内槽に循環せるとき、洗濯水が内槽の内壁面にきちんと流出されるようにする案内手段がなくて、ポンピング効率が落ちるとの問題点があった。
【００１４】
一方、透過方式洗濯機に従来のタブカバーをそのまま使用すると、洗濯水の漏水や飛散が生ずる。図２を参照して説明すると、従来のタブカバー１１は外槽２に単純にスクリュー１４で固定されているだけであって、タブカバー１１の密着部１１ｂと外槽との間の隙間及び結合部１１ｃと外槽２の上面との間の隙間を通して漏水する。また、ポンピングされた洗濯水がタブカバーの内面にぶつかって洗濯水が外槽２の外に飛散し、飛散した洗濯水が洗濯機ケースにぶつかって騒音が発生し、洗濯水の飛散によって洗濯水が遺失されるので、洗濯及び濯ぎ性能が低下する。しいては、漏水したり飛散した洗濯水が外槽１０２の外に流れ出して、洗濯機に用いられる各種の電装品に付き、洗濯機の誤動作または故障の要因となるおそれがある。
【発明の概要】
【課題を解決するための手段】
【００１５】
１．  洗濯工程、濯ぎ工程及び脱水工程を含む全自動洗濯機の制御方法において、前記洗濯工程又は濯ぎ工程は内槽を一方向に所定の速度以上に高速回転させる段階を含んで構成され、前記内槽の高速回転により発生する遠心力によって洗濯物が前記内槽の壁面に密着し、前記内槽の洗濯水は前記洗濯物を所定の速度以上に透過して透過洗濯され、前記洗濯物を透過した後外槽に排出される洗濯水は遠心力によって上部にポンピングされ再び前記内槽に循環する洗濯機の制御方法。
【００１６】
２．  前記内槽を所定の時間正方向に高速回転させた後、前記内槽を逆方向に高速回転させる段階をさらに含んで構成される項目１に記載の洗濯機の制御方法。
【００１７】
３．  前記洗濯機の制御方法は、高速回転している前記内槽を急停止または逆回転させる段階をさらに含み、前記内槽の方向転換時、洗濯物と洗濯水の慣性力または逆方向の回転力により渦流が発生し、洗濯または濯ぎを行う項目２に記載の洗濯機の制御方法。
【００１８】
４．  洗濯機本体の内部に設置され洗濯水を貯水する外槽と、
前記外槽の内部に回転可能に設置され、洗濯水を前記外槽に排出する多数の洗濯孔が壁面に形成される内槽と、前記内槽と一体に回転可能に設置されるパルセータと、前記内槽およびパルセータに直結されるモータと、前記外槽の上端に設置され、前記モータの高速回転により洗濯水が前記内槽から前記外槽を通して再び前記内槽に循環する時、前記洗濯水を前記内槽に誘導するタブカバーを含んで構成され、前記内槽が前記モータによって正方向または逆方向に所定の速度以上に高速回転し、前記内槽の高速回転によって発生する遠心力によって洗濯水が洗濯物を所定の速度以上に透過し、前記内槽と外槽との間の空間を通して再び前記内槽に循環され、前記内槽の方向転換時に発生する慣性力によって落ちて前記洗濯物は洗濯される全自動洗濯機の制御方法。
【００１９】
５．  洗濯機の外槽上端に設置され、騒音及び泡のこぼれを防止するタブカバーにおいて、前記タブカバーは、前記外槽の上部のほぼ環状の上面部と、前記上面部の外径部から上下に突設され、前記外槽の上部内部に密着される密着部と、前記密着部から水平に延設され、前記外槽に結合される結合部と、前記密着部と前記結合部との間に下部が突出して形成される突出部と、前記密着部と前記結合部との間の空間に挿入される密封部材とを含むタブカバー。
【００２０】
６．  前記突出部は前記密着部より短く形成され、前記突出部の下部には密封部材がさらに挿入される項目５に記載のタブカバー。
【００２１】
７．  洗濯機の外槽上端に設置され、騒音及び泡のこぼれを防止するタブカバーにおいて、前記タブカバーは、前記外槽の上部に結合される上部タブカバーと、前記上部タブカバーの下部に離隔して結合される下部タブカバーとを含んで構成され、前記上部タブカバーと前記下部タブカバーとの間には洗濯水の流路が形成されるタブカバー。
【００２２】
８．  前記上部タブカバーは、ほぼ環状の上面部と、前記上面部の外径部から上下に突設され、前記外槽の上部内壁に密着される密着部と、前記密着部から水平に延設され、前記外槽の上端に結合される結合部とを含んで構成され、前記下部タブカバーはほぼ環状の上面部と、前記上面部の外径部から下部に突出して形成される垂直部と、前記上面部の上部に設置されて前記上部タブカバーと前記下部タブカバーとの間隔を保たせる高さ調節部材とを含む項目７に記載のタブカバー。
【００２３】
９．  前記高さ調節部材は前記上部タブカバーの上面部の内径と外径を連結するように形成される項目８に記載のタブカバー。
【００２４】
１０．  前記上部タブカバーはほぼ環状の上面部と、前記上面部の外径部から上下に突設され、前記外槽の上部内壁に密着される密着部と、前記密着部から水平に延設され、前記外槽の上端に結合される結合部とを含んで構成され、前記下部タブカバーはほぼ環状の上面部と、前記上面部の外径部から下部に突出して形成される垂直部とから構成され、前記上部タブカバーと前記下部タプカバーとの間の空間には所定の間隔で洗濯水流路を区画するとともに、洗濯水を案内する多数の案内部材が設置される項目７に記載のタブカバー。
【００２５】
１１．  前記上部タブカバーの上面部及び前記下部タブカバーの上面部は所定の曲率を有する項目１０に記載のタブカバー。
【００２６】
１２．  前記下部タプカバーの垂直部は内槽の上部のバランサの外径部から所定距離離隔される項目１１に記載のタブカバー。
【００２７】
１３．  前記上部タブカバーの先端部は前記下部タブカバーの先端部より長くまたは短く形成される項目１０に記載のタブカバー。
【００２８】
１４．  前記案内部材は、所定の曲率を有する正方向案内部材と、前記正方向案内部材と対称して設置され、所定の曲率を有する逆方向案内部材とを含んで構成される項目１０に記載のタブカバー。
【００２９】
１５．  前記タブカバーは、前記上部タブカバーの上面部に飛散する洗濯水を前記内槽に流入させる洗濯水排出手段をさらに含む項目１０に記載のタブカバー。
【００３０】
１６．  前記洗濯水排出手段は、前記上部タブカバーの上面部に所定の間隔で形成され、内径方向に下向傾斜される多数の傾斜流路である項目１５に記載のタブカバー。
【００３１】
１７．  前記洗濯水排出手段は、前記上部タブカバーの上面部の外径部に所定の間隔で形成される多数の排出孔と、前記下部タブカバーの上面部に前記排出孔に対応する位置に形成され、内径方向に下向傾斜される多数の傾斜流路とを含む項目１５に記載のタブカバー。
【００３２】
１８．  前記洗濯水排出手段は、前記上部タブカバーの上面部を内径方向に下向傾斜されるように形成される項目１５に記載のタブカバー。
【００３３】
１９．  洗濯機の外槽の上端に設置され、騒音及び泡のこぼれを防止するタブカバーにおいて、前記タブカバーは、ほぼ環状の上面部と、前記外槽の上部に密着される密着部と、前記密着部から水平に延設され、前記外槽に結合される結合部と、前記上面部の底面に形成され、洗濯水を案内する洗濯水案内手段とを含むタブカバー。
【００３４】
２０．  前記案内手段は、前記上面部の内径と外径との間を連結するように所定の間隔で形成される多数の主方向転換部材と、前記上面部の内径から始め、タブカバーと同心円を描きながら延長され、主方向転換部材の所定の位置に連結される多数の補助方向転換部材とを含む項目１９に記載のタブカバー。
【００３５】
２１．  前記主方向転換部材の先端と補助方向転換部材の先端との間隔は前記垂直部と前記補助方向転換部材との間隔より狭い項目２０に記載のタブカバー。
【００３６】
２２．  前記タブカバーは該タブカバーの上面部の先端に下方に折り曲げられる垂直方向転換部材をさらに含む項目２１に記載のタブカバー。
【００３７】
２３．  前記主方向転換部材の先端と補助方向転換部材の先端との間の空間には緩衝部材が設置される項目２２に記載のタブカバー。
【００３８】
２４．  前記洗濯水案内手段は、前記上面部の内径と外径とを連結するようにそれぞれが形成される多数の第１主方向転換部材と、前記第１主方向転換部材と対称してそれぞれが形成される多数の第２主方向転換部材と、前記第１主方向転換部材の先端と離隔した内径部から始まって、前記タブカバーと同心円を描きながら延長され、前記主方向転換部材の前側に形成された第２補助方向転換部材の先端と離隔した内径部に連結される多数の補助方向転換部材とを含む項目１９に記載のタブカバー。
【００３９】
２５．  前記第１主方向転換部材と隣接している第２主方向転換部材との間には多数の補強部材がさらに含まれる項目２４に記載のタブカバー。
【００４０】
２６．  パルセータと一体に形成された内槽を所定の速度以上の高速で一方向回転させ、洗濯物を前記内槽の内壁面に移動させる洗濯物の移動段階と、前記内槽の高速回転によって洗濯水が前記洗濯物を通過しながら洗濯または濯ぎを行う洗濯水の透過段階と、前記洗濯物を透過した洗濯水が前記内槽に形成された洗濯孔を通して外槽に排出され、前記外槽に排出された洗濯水を上部に移動させる洗濯水のポンピング段階と、ポンピングされた洗濯水をタブカバーを用いて前記内槽の内部に循環させる循環段階と、前記モータを逆方向に高速回転させ、前記洗濯物の移動段階、前記洗濯水の透過段階、前記洗濯水のポンピング段階および前記循環段階を繰り返す段階とを含む洗濯機の制御方法。
【００４１】
２７．  前記内槽を所定の速度以下の低速で回転させ、撹拌洗濯または撹拌濯ぎを行う段階をさらに含む項目２６に記載の洗濯機の制御方法。
【００４２】
従って、本発明は、透過方式洗濯機、その制御方法、およびタブカバーが、従来技術の制限および不利な点による１つ以上の問題を取り除くことに方向付けられる。
【００４３】
本発明は、その目的は構造が簡単であり且つ洗濯効率を向上させることのできる透過方式洗濯機及びその制御方法を提供することにある。
【００４４】
また、本発明の他の目的は、透過方式洗濯機への使用時にポンピング効率及び洗濯効率を向上させることのできるタブカバーを提供することにある。
【００４５】
本発明のさらなる特徴および利点は、以下の説明に示され、一部は説明から明らかであるか、または本発明の実施により習得され得る。本発明の目的および他の利点は本明細書中に記載された説明および請求の範囲ならびに添付の図面に特に指摘される構造により理解され、獲得される。
上記および他の目的を達成するために、実施され、広く説明される、本発明は、洗濯工程、濯ぎ工程及び脱水工程を含む全自動洗濯機の制御方法において、前記洗濯工程又は濯ぎ工程は内槽を一方向に所定の速度以上に高速回転させる段階を含んで構成され、前記内槽の高速回転により発生する遠心力によって洗濯物が前記内槽の壁面に密着し、前記内槽の洗濯水は前記洗濯物を所定の速度以上に透過して透過洗濯され、前記洗濯物を透過した後外槽に排出される洗濯水は遠心力によって上部にポンピングされ再び前記内槽に循環する。
【００４６】
また、本発明は洗濯機の外槽上端に設置され、騒音及び泡のこぼれを防止するタブカバーにおいて、前記タブカバーは、前記外槽の上部に結合される上部タブカバーと、前記上部タブカバーの下部に所定距離離隔して結合される下部タブカバーとを含んで構成され、前記上部タブカバーと前記下部タブカバーとの間には洗濯水の流路が形成される。
【００４７】
上記包括的な説明および以下の詳細な説明の両方は、模範的および説明的であり、請求の範囲に記載される発明の更なる説明を提供することを意図する。
【図面の簡単な説明】
【００４８】
本発明の更なる理解を提供するように含まれ、本明細書の一部を構成し、組み入れられる添付の図面は、本発明の実施例および本発明の原理を明らかにする役目をする説明とともに示される。
【図１】従来のパルセータ方式洗濯機を示す断面図である。
【図２】図１の「Ａ」部を拡大して示す断面図である。
【図３Ａ】本発明による透過方式洗濯機の実施例を示す断面図であって、図３Ａは透過洗濯過程を示す。
【図３Ｂ】本発明による透過方式洗濯機の実施例を示す断面図であって、図３Ｂは攪拌洗濯過程を示す。
【図３Ｃ】本発明による透過方式洗濯機の実施例を示す断面図であって、図３Ｃは復原水流洗濯過程を示す。
【図４】本発明によるタブカバーの第１実施例を示す断面図である。
【図５】本発明によるタブカバーの第１実施例を示す断面図である。
【図６】本発明によるタブカバーの第１実施例を示す断面図である。
【図７】本発明によるタブカバーの第２実施例を示す分解斜視図である。
【図８】図７の結合断面図である。
【図９】図８の変形例を示す結合断面図である。
【図１０】本発明によるタブカバーの第３実施例を示す斜視図である。
【図１１】図１０のタブカバーが洗濯機に結合された状態を示す断面図である。
【図１２】図１０のタブカバーの作動原理を説明するための図である。
【図１３】図１０の変形例を示す斜視図である。
【図１４】本発明によるタブカバーの第４実施例を示す分解斜視図である。
【図１５】図１４の結合断面図である。
【図１６】図１５の「Ｂ」部を拡大して示す断面図である。
【図１７】図１４のタブカバーの分解斜視図である。
【図１８】本発明の第４実施例によるタブカバーの結合構造の変形例を示す断面図である。
【図１９】図１４のタブカバーのいろいろな変形例を示す断面図である。
【図２０】図１４のタブカバーのいろいろな変形例を示す断面図である。
【図２１】図１４のタブカバーのいろいろな変形例を示す断面図である。
【図２２】図１４のタブカバーのいろいろな変形例を示す断面図である。
【図２３】図１４のタブカバーの他の変形例を示す横断面図である。
【図２４】本発明によるタブカバーの第５実施例を示す分解斜視図である。
【図２５】図２４のタブカバーの作用を説明するための一部を切欠して示す斜視図である。
【図２６】図２４のタブカバーの変形例を示す分解斜視図である。
【図２７】本発明によるタブカバーの第６実施例を示す分解斜視図である。
【図２８】図２７のＩ−Ｉ線による断面図である。
【図２９】図２７のＩＩ−ＩＩ線による断面図である。
【図３０】図２７のタブカバーの変形例を示す分解斜視図である。
【図３１】図３０のＩＩＩ−ＩＩＩ線による断面図である。
【図３２】図２７のタブカバーの他の変形例を示す分解斜視図である。
【図３３】図３２のＩＶ−ＩＶ線による断面図である。
【図３４】本発明によるタブカバーの第７実施例を示す底面図である。
【図３５】図３４のタブカバーの底面斜視図である。
【図３６】図３４のタブカバーの縦断面図である。
【図３７Ａ】図３４のタブカバーの変形例を示す底面斜視図である。
【図３７Ｂ】図３４のタブカバーの変形例を示す底面斜視図である。
【図３８】本発明によるタブカバーの第８実施例を示す底面図である。
【図３９】図３５のタブカバーの底面斜視図である。
【図４０】図３８のタブカバーの変形例を示す底面斜視図である。
【図４１】図３８のタブカバーの変形例を示す底面斜視図である。
【発明を実施するための形態】
【００４９】
以下、本発明による好適な実施例を添付図面を参照して説明する。まず、図３Ａ〜図３Ｃを参照して、本発明の透過方式洗濯機及びその制御方法を説明する。
【００５０】
図３Ａ〜図３Ｃを参照すると、外槽１０２の内部には多数の洗濯孔１０４を有する内槽１０３が回転可能に設けられ、前記内槽１０３にはパルセータ１０５が一体に形成される。そして、内槽１０３の上部には前記内槽１０３の回転時に均衡を取れる流体バランサ１０８が設けられ、外槽１０２の上部には騒音を防止し、泡生成を抑制するとともに洗濯を案内する役割を果たすタブカバー４００が設置される。一方、前記外槽１０２の底面には回転力を発生させるモータ１０７、及び排水バルブ１０９が設置される。前記モータ１０７は可変速度モータが用いられることが好ましく、また、前記モータ１０７の回転軸が別途の動力伝達装置の介入なく内槽１０３及びパルセータ１０５を回転させる単一の駆動軸１０６に直結されることが好ましい。上述したように構成された本発明による透過方式洗濯機は、モータ１０７の回転速度を適切に変化させることにより、透過洗濯、攪拌洗濯及び復原水流洗濯を行うことができる。
【００５１】
以下、図３Ａ〜図３Ｃを参照して、透過方式洗濯機の作動を説明する。
【００５２】
まず、図３Ａを参照して透過方式洗濯を説明する。洗濯機が作動すると、モータ１０７が高速に回転を行う。すると、前記モータ１０７に直結された駆動軸１０６が回転し、且つ前記駆動軸に一体に連結されたパルセータ１０５及び内槽１０３も高速に回転する。従来の技術で説明したように透過洗濯をするためには、洗濯水が洗濯物を透過する相対流速が所定の速度以上になるべきであり、また、内槽の洗濯水が外槽に流出された後、再び内槽に循環できる程度の遠心力を発生させる速度以上にならなければならない。パルセータ１０５及び内槽１０３が高速回転すると、遠心力が発生し、この遠心力によって内槽１０３の洗濯物は内槽１０３の壁面に密着される。同時に内槽１０３の洗濯水も遠心力によって前記内槽１０３の洗濯孔１０４を介して外槽１０２に排出される。この時、洗濯水が洗濯物の繊維組織と繊維組織との間を透過しながら透過洗濯を行う。そして、外槽１０２に排出された洗濯水及び既に外槽１０２の底面に存在する洗濯水は、遠心力によって内槽１０３と外槽１０２間の空間によって上部にポンピングされ、上部にポンピングされた洗濯水はタブカバー４００にぶつかって方向が転換し、内槽１０３の内部に流入する。この時、内槽１０３に流入する洗濯水は、内槽１０３の高速回転による遠心力によって相当な圧力をもっている。従って、洗濯水は遠心力による圧力及び洗濯水の落差によって洗濯物に衝撃を与えることができ、これにより洗濯物を叩く効果が発生して洗濯効率が向上する。
【００５３】
一方、従来の技術で説明したように、内槽が一方向に回転時には、洗濯物の位置が常に一定であって、洗濯物の部位によって洗濯の程度が異なるような洗濯偏差が生ずる。したがって、内槽を所定の時間正方向に回転した後、逆方向に回転させる。すると、内槽が正方向から逆方向に転換するとき、内槽の壁面に密着されていた洗濯物が前記内槽の中央に集中し、内槽の速度が加速されることによって再び内槽の壁面に密着される。したがって、洗濯水が透過される洗濯物の位置が変わり、洗濯の偏差を防止することができるようになる。
【００５４】
一方、上述したように、本発明による透過方式洗濯機ではモータの回転速度もしくは回転方向を変化させることにより、透過方式洗濯のみならず、攪拌洗濯及び復原水流洗濯も行うことができる。図３Ｂは攪拌洗濯過程を示す。これを参照して攪拌洗濯過程を説明すると、以下の通りである。
【００５５】
攪拌洗濯は、回転速度を所定の速度以下にすることにより得られる。即ち、モータの回転速度を比較的低速にすると、パルセータ及び内槽１０３も低速度に回転する。従って、遠心力も小さくなって内槽１０３と外槽１０２との間の洗濯水も上部に上昇せずに所定水位を保つ。また、内槽１０３の壁面に密着していた洗濯物が内槽１０３の底に落下されて内槽１０３内の洗濯水に漬かる状態になる。このような状態で内槽１０３とパルセータ１０５の回転により発生する水流によって従来のパルセータ方式洗濯機と同一の原理で攪拌洗濯が行われる。従って、透過洗濯と攪拌洗濯を並行することができるため、より優れた洗濯効率を得ることができる。
【００５６】
図３Ｃは復原水流洗濯過程を示す断面図である。以下に、同図を参照して復原水流洗濯過程を説明する。
【００５７】
前記透過洗濯において高速で回転している内槽１０３を停止させるか減速させると、慣性力によって内槽１０３の内壁に密着していた洗濯物が内槽１０３の中央に集中して相互ぶつかるようになる。即ち、洗濯物同士の衝突または洗濯物とパルセータ１０５との衝突による衝撃によって洗濯が行われる。ここで、上述したように、前記復原水流洗濯のために回転中の内槽１０３を停止させてもよいが、別途の制御無しでも復原水流洗濯が可能である。なぜなら、透過洗濯時に内槽は正回転と逆回転を繰返し行うので、回転方向変更時に自動的に復原水流洗濯が持続的に保たれるからである。
【００５８】
一方、前記透過洗濯、攪拌洗濯及び復原水流洗濯過程が完了すると、脱水工程が行われ、脱水過程が完了すると、再び再給水過程が行われながら濯ぎ工程を行う。前記濯ぎ工程時にも透過濯ぎ及び攪拌濯ぎを行うことができる。本発明による透過方式洗濯機では、上述した透過方式洗濯のみを行ってもよいが、洗濯物の汚染程度、洗濯物の量などによって前記透過方式洗濯、攪拌洗濯及び復原水流洗濯を適切に組み合わせて使用することが好ましい。また、上述したように、一つの洗濯工程または濯ぎ工程を小区間に分けて透過洗濯と攪拌洗濯を繰返し実施しても、これとは異なり、透過洗濯を完了した後に再び再給水して攪拌洗濯を行うことも勿論可能である。
【００５９】
以下、上述した本発明による透過方式洗濯機及びその制御方法の効果を説明する。
【００６０】
まず、本発明では透過洗濯を主に行うので、機械的衝撃力を用いるパルセータ方式洗濯機に比べて洗濯物の縺れ、損傷が減少する。なお、透過洗濯では洗濯水を内槽に再供給する洗濯方法であるため、洗濯水があまり必要なくなる。従って、洗剤の量も減少させることができ、給水及び排水時の時間も迅速になるので、給、排水時による時間浪費を最小限に減らすことができるようになる。また、パルセータ方式では、内槽の洗濯水が洗濯物と接触して洗濯を行うため、内槽の洗濯水は重要な役割を果たすが、外槽の洗濯水は内槽の回転時に摩擦抵抗を発生するために内槽１０３の回転を妨げているだけであった。従って、内槽の円滑な回転を行うためには、外槽の洗濯水と少ない接触を保つことが最も重要である。ところが、本発明では少量（約５０％）の洗濯水を内槽と外槽に供給した後、洗濯水をポンピングして内槽に再供給して洗濯を行う。即ち、外槽には洗濯水の量が少ないので、内槽の回転もさらに円滑になる。そして、本発明による透過方式洗濯機は、従来の透過方式洗濯機と異なり、別途のポンピング装置などを使用しなくてもよいので装置が簡単になり、また透過方式洗濯、攪拌洗濯及び復原水流洗濯を適切に組み合わせることにより、洗濯物の縺れや損傷を防止し且つ充分な洗濯効率を得ることができる。一方、本発明による透過方式洗濯機は、内槽１０３の洗濯水が内槽１０３と外槽１０２との間の空間を介して上部にかなり高い圧力でポンピングされて再び内槽１０３に循環される。従って、上部にポンピングされた洗濯水の圧力が高いため、従来のタブカバーをそのまま使用する場合には洗濯水の漏水の虞がある。このような漏水現象を防止するために、外槽１０２の上面にガスケットを付着して漏水を防ぐ方法も考えられるが、外槽１０２の直径が大きいので、前記ガスケットを正確に設置することが難しいという問題点がある。従って、透過方式洗濯機ではタブカバーの構造を適切に変更して使用することが好ましい。以下、本発明によるタブカバーを説明する。
【００６１】
まず、本発明によるタブカバーの第１実施例を図４〜図６を参照して説明する。第１実施例によるタブカバーは従来のタブカバーを殆どそのまま使用し、漏水防止手段を追加したものである。
【００６２】
即ち、タブカバー４００は従来のタブカバーと同様に、上面部４１１、密着部４１３及び結合部４１２からなる。しかし、従来とは異なり、前記結合部４１２には大略中間部分に下部に前記密着部４１３と平行に突出部が形成され、外槽１０２の上部には前記突出部４１５の挿入される溝が形成される。そして、密着部４１３と突出部４１５との間に形成される空間に漏水防止のための密封部材４１７を介在させる。
【００６３】
また、図５に示すように、突出部４１５の長さを短くして前記突出部４１５の下部に形成される空間に密封部材を介在させることも可能である。
【００６４】
また、図６に示すように、外槽１０２の上端に密封部材を位置させることもできる。詳しく説明すると、外槽１０２の上端に密封部材４１７が位置するようになるので、前記外槽１０２の上端部１０２ａの下では外槽１０２の外径方向に支持部１０２ｂが突設される。そして、タブカバー４００の上面部４１１の外径部は水平部４４１を形成させ、前記水平部４４１の終端は下向に折り曲げられ、前記外槽１０２の支持部１０２ｂの内面に密着される密着部４１３からなり、結合部は形成されない。そして、組立を簡便にするために、密封部材４１７はタブカバーの水平部４４１に接着剤４５２で固定されることが好ましい。そして、外槽１０２の支持部１０２ｂが突出する位置は、外槽１０２の最上端より下となるようにして、外槽１０２の上端部１０２ａと支持部１０２ｂとの間に所定の空間を形成するのが好ましい。なぜなら、もし洗濯水が密封部材４１７にも拘わらず漏水する場合に、前記空間に漏水する洗濯水を集めて溜めることができるからである。前記空間に集められた洗濯水は排気管と連結されたオーバーフロー管（図示せず）で排出される。上述した第１実施例によるタブカバーによれば、洗濯水が高圧でタブカバー４００にポンピングされても密封部材４１７によって漏水することを防止することができる。また、タブカバー４００を外槽１０２に結合する時、タブカバーの突出部４１５を外槽１０２の溝に挿入だけすればよいので、組立が簡便になる。しかも、溝が組立時にガイドの役をするので、タブカバー４００を外槽１０２に正確に組み立てることができるようになり、タブカバー４００及び外槽１０２が正確に組み立てられて洗濯機の作動時振動などを防止することができる。
【００６５】
一方、前記第１実施例によるタブカバー４００を用いると、洗濯水の漏水を防止することができるが、洗濯水がタブカバーにぶつかって発生する洗濯水の飛散を防止したり、洗濯水を内槽１０３に正確に誘導するのは難しい。従って、本発明によるタブカバーの第２実施例ないし第８実施例ではこれを改善したタブカバーを提供する。次に、図７及び図８を参照して本発明によるタブカバーの第２実施例を説明する。  
【００６６】
第２実施例によるタブカバー２００は、外槽１０２に結合される上部タブカバー(upper tob cover)２０１と、前記上部タブカバー２０１の下部に所定間隔離隔して結合される下部タブカバー(lowertub cover)２０３とから構成され、前記上部タブカバーと下部タブカバーとの間には洗濯水案内流路Ｐ１、Ｐ２が形成される。前記上部タブカバー２０１は、ほぼ環状の上面部２１１と、前記上面部２１１の外径から垂直に突出する外槽１０２の内壁に密着される密着部２１４と、前記密着部２１４から水平に突出して外槽の上端部に結合される結合部２１５とからなって、大略「Ｌ」字形の断面を有する。そして、下部タブカバー２０３は、上面部２２１と、前記上面部２２１の外径から下向する垂直部２２５とからなり、前記上面部と垂直部とを連結する多数の強度補強用リブ２２４が形成される。そして、所定の間隔で多数の高さ調節部材２２２が形成される。ここで、上部タブカバー２０１と下部タブカバー２０３とを結合させるために、高さ調節部材２２２には雌ねじ２２３を形成し、前記高さ調節部材２２２に対応する位置の上部タブカバー２０１の上面部２２１には多数の結合孔２１２が形成されることが好ましい。
【００６７】
図８を参照して結合状態を説明すると、上部タブカバー２０１と下部タブカバー２０３はねじ２１３によって結合され、前記上部タブカバー２０３はねじによって外槽１０２の上端部に結合される。従って、図８に示すように、タブカバー２００にポンピングされる洗濯水は上部タブカバーと下部タブカバーとの間の案内流路Ｐ１、Ｐ２によって案内され、洗濯水が円滑に内槽１０３に誘導されるので、ポンピング効率を向上させることができる。さらに、洗濯水の飛散を防止することもできる。一方、タブカバー２００から内槽１０３に噴射される洗濯水の圧力は上部タブカバーと下部タブカバーとの間隔Ｓ、即ち、高さ調節部材２２２の高さを調節することにより調節可能である。一方、図８では上部タブカバー２０１の結合孔とねじとの間で漏水する虞がある。従って、図９に示すように、上部タブカバー２０１に高さ調節部材２２２ａを形成し、下部タブカバー２０３に貫通孔を形成することが好ましい。なぜなら、タブカバー２００を抜け出して内槽１０３に流出される洗濯水は遠心力によって内槽１０３の内径の接線方向に進むためである。
【００６８】
このような短所を改善したのが第３実施例によるタブカバーであり、これを図１０及び図１１を参照して説明する。
【００６９】
タブカバー３００の上面部３０１と密着部３０３とから構成され、前記上面部３０１の底面にはタブカバーに流入する洗濯水の方向を転換する多数の方向転換部材３０２が設けられる。前記方向転換部材３０２は接線方向に出る洗濯水を中心方向に誘導するために半径方向に設けられ、流路を多数に区画するように所定の間隔を置いて多数個が設けられる。このように構成すると、図１２に示すように、ポンピングされてタブカバー３００に流入した洗濯水は方向転換部材３０２にぶつかって方向が変わり、内槽１０３の接線方向でない大略中心方向に案内される。そして、図１３に示すように、洗濯水の摩擦抵抗を減らすために、方向転換部材３０２に誘導リブ３０５を形成することもできる。また、タブカバーに流入する洗濯水が重力によって内槽１０３と外槽１０２との空間に落下しないで内槽１０３へ供給されるようにするために、方向転換部材３０２の底面にはほぼ板状の落下防止部材３０５を形成することがさらに好ましい。勿論、落下防止部材３０５の面積を拡大させるか、或いはタブカバーに上述した第２実施例のように下部タブカバーを結合させることも可能である。また、第２実施例の高さ調節部材２２２、２２２ａの形状を方向転換部材３０２の形状に変更して前記高さ調節部材２２２、２２２ａが方向転換部材の機能を兼するようにすることもできる。
【００７０】
上述した第１実施例ないし第３実施例によるタブカバーでは、タブカバーの出口側にはほぼ水平に洗濯水流路Ｐ２が形成されるので、洗濯水も大略水平に流出される。これに反して、後述する第４実施例ないし第７実施例は噴射角度を調節することができ、且つ組立性を改善したタブカバーを提供する。
【００７１】
次に、第４実施例によるタブカバーを図１４ないし図１６を参照して説明する。
【００７２】
第４実施例によるタブカバー５００も第２実施例によるタブカバーのように洗濯水案内流路が形成されるように上部タブカバー５０１と、下部タブカバー５０３とから構成される。そして、前記上部タブカバー５０１は、上面部５２１と、密着部５２２及び結合部５２３からなり、下部タブカバー５０３も上面部５１２と垂直部５１１からなる。但し、本実施例には前記上部タブカバーと下部タブカバーとの間には上述した実施例の高さ調節部材及び方向転換部材の役を兼する多数の案内部材５０５が所定の間隔で設置される。ここで、前記案内部材５０５は洗濯水流路を全てカバーできるように流路の入口から出口まで延設されることが好ましい。一方、本実施例では、水平部流路Ｐ２は内槽１０３の下部に向かい、摩擦抵抗を最小化するために上部タブカバー５０１及び下部タプカバー５０３は下方に所定の曲率を持つようにして水平部流路Ｐ２が流線型となるようにする。また、下部タプカバー５０３は流体バランサ１０８と所定の距離Ｔ１離隔するように設置され、前記流体バランサ１０８の内径部の面取り部５０７を水流路Ｐ２の外径に合うように形成することが好ましい。このように構成する理由は前記流体バランサ１０８とタブカバー５００との衝突を防止することができるためである。また、前記流体バランサ５０４と洗濯外槽１０２、５０２とのぶつかりを防止するために、流体バランサ５０４と洗濯外槽１０２、５０２との間に形成される第２離隔空間部Ｔ２をさらに備えた。ここで、前記離隔距離Ｔ１は流体バランサ１０８と洗濯外槽１０２との間の離隔距離Ｔ２とほぼ同一にすることが好ましい。
【００７３】
次に、図１７を参照して本発明による第４の実施例タブカバーの結合構造を説明する。
【００７４】
上述した実施例のように、ねじを用いて上部タブカバー、案内部材及び下部タプカバーを結合すると、漏水の虞がある。従って、上部タブカバー５０１、案内部材５０５及び下部タプカバー５０３を別途に製作してこれらを融着などの方法で結合させることが好ましい。勿論、上部タブカバー５０１と案内部材５０５を一体に製作し、ここに下部タプカバー５０３を融着させるか、下部タブカバー５０３と案内部材５０５とを一体に製作し、ここに上部タブカバー５０１を融着させることも可能である。この時、組立の便宜及び上部タブカバー５０１が外径方向に突出することを防止するために、下部タブカバー５０３の一側には上部タブカバー５０１の下端部が係止される係止突起５３２を形成する。図１８に示すように、ねじを用いて結合することも勿論可能であり、この時は上述したように下部タブカバー５０３と案内部材５０５をねじ５３４で結合した方が漏水防止に効果的である。本実施例によるタブカバーは、上述した実施例と同様に洗濯水の円滑な誘導、飛散防止、漏水防止の機能をする。さらに、本実施例によれば、洗濯水流路が所定の曲率を有する流線型なので、摩擦抵抗などによる損失を最小化しながら、洗濯水を内槽１０３の下部に効率よく案内することができるため、ポンピング性能及び洗濯性能をさらに向上させることができる。一方、本実施例では上部タブカバー５０１と下部タブカバー５０３の先端、即ち洗濯水の出口の間隔Ｗを調節することにより、洗濯水の圧力を調節することができる。即ち、洗濯水の出口の間隔Ｗを減らすほど、洗濯水の圧力を高めることができる。前記洗濯水の出口の間隔Ｗは、上部タブカバー５０１の先端を下部タブカバー５０３の先端方向に所定の間隔θ縮めるか増やすことにより調節することが好ましい。また、図２０及び図２１に示すように、上部タブカバー５０１の先端部を下部タブカバー５０３の先端部に対して所定距離延長するか短縮することにより、洗濯水の噴射角度を調節することができる。即ち、上部タブカバー５０１の先端部を下部タブカバー５０３の先端部より所定の距離Ｈ１短縮すれば上部に噴射され、所定の距離Ｈ２延長すれば下部に噴射される。結局、本実施例では噴射圧力及び噴射角度を適切に調節することができる。そして、図２３に示すように、上部タブカバー５０１の先端によって形成される円の半径Ｒ１と下部タブカバー５０３の先端によって形成される円の半径Ｒ２を互いに異るようにして洗濯水の供給効率を向上させることが好ましい。
【００７５】
一方、案内部材５０５は曲率がないため、洗濯水は前記案内部材５０５に垂直にぶつかるようになり、摩擦抵抗などによる損失が発生してポンピング効率が減少する。また、洗濯水の方向が急激に変化し、衝撃による騒音などが発生する短所がある。また、第３実施例では方向転換部材が洗濯水の流れに対して直角に設置されるので、前記方向転換部材にぶつかった洗濯水の一部は内槽に方向が転換されず、反力により洗濯水の流れに逆行して流れることもできる。また、方向転換部材の外径部と密着部の間に形成される空間で渦流が発生することもできる。すなわち、このような現象がポンピング効率の減少の原因になり得る。したがって、後述の実施例ではこのような短所を改善している。
【００７６】
このような短所を改善したものが第５実施例であって、これを図２４を参照して説明する。
【００７７】
本発明による案内部材５０５は所定の曲率を持つように形成され、洗濯水が前記案内部材５０５で抵抗が最小化されながら円滑に案内されるようにする。ところが、内槽１０３は正回転および逆回転をするので、正方向案内部材５０５ａおよび逆方向案内部材５０５ｂをそれぞれ備えることが好ましい。その他の構成要素は第４実施例と同一であるので説明を省略する。したがって、図２５に示すように、内槽１０３の高速回転によりポンピングされる洗濯水は抵抗を最小化しながら内槽１０３に円滑に供給されるのでポンピングの効率が向上する。ところが、図２４に示すように、正方向案内部材５０５ｂと逆方向案内部材５０５ａを一体に形成すると先端部５０５ｃは曲率がないので、曲率のない先端部５０５ｃでは摩擦抵抗が大きくなる。したがって、先端部５０５ｃにも所定の曲率を与えることが好ましい。これのために、図２６に示すように、正方向案内部材５０７ａおよび逆方向案内部材（５０７ｂ）の全体長さにわたって曲率を与え、先端を曲面部５０７ｃに連結するのが好ましい。したがって、内槽１０３が正方向回転時にはポンピングされた洗濯水が正方向案内部材５０７ａにより誘導され摩擦の抵抗を減らし、内槽１０３が逆方向回転時にはポンピングされた洗濯水が逆方向案内部材５０７ｂによって誘導され、摩擦抵抗を減らすことができるので、曲率部５０７ａおよび５０７ｂはポンピング効率を向上させることができる。
【００７８】
一方、上述したように本発明によるタブカバーは、洗濯水の飛散が効率よく防止されるが、一旦飛散すると、これらは外槽１０２の外に流れる。従って、後述する第６実施例は、洗濯水が外槽１０２の外に流出されることをより効率よく防止するものである。次に、第６実施例を図２７を参照して説明する。
【００７９】
本実施例のタブカバー７００の全体的な構成は、上述した第４実施例及び第５実施例と同様に所定の曲率を有する上部タブカバー７０１、下部タブカバー７０３及び案内部材７０５からなる。そして、前記上部タブカバー７０１は上面部７１４と、密着部７１５及び結合部７１１からなり、下部タブカバー７０３も上面部７２２と垂直部７２１からなる。但し、本実施例は上部タブカバー７０１の密着部７１５を上部に突出させて突出部７１５ａを形成させる。そうすると、上面部７１４の外径部と前記突出部７１５ａとの間に凹部７１２が形成され、前記凹部７１２に飛散した洗濯水を集める。次に、前記凹部７１２に溜まった洗濯水を洗濯水排出手段７２０によって内槽１０３に排出する。洗濯水排出手段７２０を説明すると、上部タブカバーの上面には所定の間隔で凹設され、傾斜流路７１３と、前記傾斜流路７１３の両側には隔壁７１３ａ、７１３ｂが形成される。ここで、前記傾斜流路７１３は内径方向に下向傾斜される。
【００８０】
本実施例では垂直流路７０５にのみ案内部材７０５を設置してもよい。なぜなら、水平流路Ｐ２では前記傾斜流路７１３の両隔壁７１３ａ、７１３ｂが案内部材の役割を果たすためである。従って、図２８に示すように、飛散して上部タブカバー７０１の凹部７１２に溜まった洗濯水は、傾斜流路７１３に沿って内槽１０３に流入する。そして、図２９に示すように、ポンピングされた洗濯水は、上部タブカバー７０１と下部タブカバー７０３との間に形成された流路を通して内槽１０３に流出され、この時、両隔壁７１３ａ、７１３ｂが流路を区画する役割を果たす。そして、前記両隔壁７１３ａ、７１３ｂが所定の曲率をもつように形成し、正逆回転に対応して抵抗を減らしながら洗濯水を案内する。
【００８１】
洗濯水排出手段を図３０及び図３１のように構成することも可能である。即ち上部タブカバー７０１の凹部７１２には所定の間隔で多数の排出孔７２５を形成させる。そして、下部タブカバー７０３には前記排出孔７２５から排出される洗濯水を内槽１０３に誘導する誘導部材を設置することが好ましい。なぜなら、誘導部材がなければ、下部タブカバー７０３も所定の曲率を有するので、排出孔から排出された洗濯水は、内槽１０３と外槽１０２との間に再び流入されて洗濯水の循環に対する抵抗となるためである。前記誘導部材は排出孔７２５の幅よりやや広い間隔で下部タブカバー７０３の上面に垂直に設置される一対の隔壁７２６、７２７と、前記隔壁７２６、７２７を連結して内径方向に下向傾斜される傾斜流路７２８とからなる。ここで、前記隔壁７２６、７２７は高さ調節部材の役割を兼する。そして、前記隔壁７２６、７２７の前面に供給孔７２４を有する前面部７２３を形成させることも可能である。
【００８２】
本実施例の作用を説明すると、ポンピングされた洗濯水が飛散すると、一応上部タブカバー７０１の凹部７１２に溜まる。そして、前記凹部７０２に溜まった洗濯水は排出孔７２５を通して下部タブカバー７０３に流入し、下部タブカバー７０３に流入された洗濯水は傾斜流路７２８に沿って内槽１０３に流入する。従って、洗濯水が外槽１０２の外に流出されることを防止することができる。一方、図３２及び図３３に示すように、洗濯水排出手段を別途に構成せず、上部タブカバー７０１の上面に傾きαを与え、上部タブカバー７０１に飛散した洗濯水が自然に前記上部タブカバー７０１の上面に沿って内槽１０３に流入されるように構成することも勿論可能である。この時には案内部材７０５を水平流路まで延長して、即ち垂直部７０５ａ及び水平部７０５ｂで形成することが好ましい。
【００８３】
上述した第２実施例ないし第６実施例は上部タブカバー、下部タブカバー及び案内部材から構成されるので、部品数が比較的多く、構造が複雑であり、製造コストが上昇する。従って、後述する第７実施例及び第８実施例には構造が簡単であり、且つ上述した実施例の効果が実現できるタブカバーを提供する。後述する実施例では上述した第２実施例ないし第６実施例とは異なり、一つのタブカバー（従来の上部タブカバーに当たる）から構成される。また、第１実施例とは異なり、タブカバーの底面に洗濯水を内槽に誘導する手段が備えられる。下部タブカバー無しで上部タブカバーに相当するタブカバーのみをもっても、ポンピングされた洗濯水を内槽に誘導できる理由は次の通りである。透過洗濯をするためには、モータが高速に回転して洗濯水をポンピングしなければならない。即ち、透過洗濯時には洗濯水が重力による力に克って洗濯水を上部に移動し得るようにポンピングしなければならない。従って、下部タブカバーを使用しなくてもタブカバー側にポンピングされた洗濯水はほとんど下部に落下しないので、下部タブカバーを使用しても洗濯水の流路を構成することが可能である。また、攪拌洗濯の場合には洗濯水が循環せず、タブカバーは騒音防止、泡発生抑制の役割をするので、下部タブカバーを使用しないことが可能である。次に、図３４ないし図３６を参照して、第７実施例によるタブカバーを詳細に説明する。
【００８４】
第７実施例のタブカバー８００は、外槽の上端部内側に密着される密着部８１０と、前記密着部８１０から所定の角度をもって上部に延長され、洗濯水を案内する役割を果たす上面部８１１と、前記密着部８１０に水平に突設され、外槽にねじなどで結合される結合部８１０ａからなる。ここで、上面部８１１は密着部８１０に対して直角で形成されるより、洗濯水の摩擦抵抗を減らすために一定曲率を有することが好ましい。また、上面部８１１の先端は下方に垂直方向転換部材８１３が形成され、洗濯水を内槽の下方に誘導され、前記上面部８１１の外径上面には上方垂直に塞止部８１１ａが形成され、飛散する洗濯水が外槽の外に流出されることを防止するのが好ましい。一方、上面部８１１の底面にはタブカバーでポンピングされた洗濯水の方向を内槽の中心方向に転換させる多数の主方向転換部材８１２が所定の間隔で形成される。前記主方向転換部材８１２はタブカバーの上面部の内径と外径との間を連結し、半径方向に対して所定の角度θ１をもって形成される。また、洗濯水をより円滑に誘導するために、補助方向転換部材８１４をさらに備えることが好ましい。補助方向転換部材８１４を詳細に説明すると、補助方向転換部材８１４の前端は内径から始まって、大略タブカバーと同心円を描きながら延長され、後端は主方向転換部材８１２の所定の位置に連結される。この際、補助方向転換部材の前端は主方向転換部材８１２の前端と所定の間隔Ｌ２を保たせることが好ましい。従って、タブカバー８００は主方向転換部材８１２によって所定の空間Ｓずつ分けられ、各単位空間Ｓは主方向転換部材８１２及び補助方向転換部材８１４によって形成される主流路Ｗ１と、補助方向転換部材８１４と垂直方向転換部材８１３によって形成される補助流路Ｗ２とから構成される。
【００８５】
本実施例の作用を説明すると次の通りである。
【００８６】
タブカバー８００にポンピングされた洗濯水は前記タブカバー８００によって誘導され摩擦抵抗を最小化しながら内槽に流出される。詳細に説明すると、上側に上昇した洗濯水はタブカバー８００の底面と接触する。従って、洗濯水は主方向転換部材８１２及び補助方向転換部材８１４の案内を受けて流れることになり、接線方向に進もうとする流れが内槽の中心を向かう。そして、前記主方向転換部材８１２及び補助方向転換部材８１４により形成された主流路Ｗ１によって方向が転換された洗濯水は、再び垂直方向転換部材８１３とぶつかりながら水平に進もうとした力が下側に変換され、洗濯水は内槽の下部方向に供給される。そして、ポンピングされた大部分の洗濯水は主流路に案内されて内槽１０３に噴射され、一部は補助流路Ｗ２から直ちに内槽１０３に流出される。ポンピングされた大部分の洗濯水は主流路を通して案内され、各前記主流路Ｗ１の出口Ｐは幅Ｌ２が狭く、所定の個数で形成されているので、洗濯水の圧力が高くなって出口から集中噴射されるので、洗浄効率が向上する。これに比べて、従来ではタブカバーの内径全体から洗濯水が流出されるので、噴射圧力が分散して洗濯効率が低下する。一方、水平的に流れていた洗濯水が垂直方向転換部材８１３とぶつかる時、大部分の水は下方に方向を変えて内槽に供給されるが、一部の洗濯水はぶつかる衝撃によって飛散する現象が生ずる。ところが、本実施例によれば、洗濯水は垂直方向転換部材８１３に衝突する前に補助方向転換部材８１４に先に衝突するので、洗濯水の飛散や騒音発生、泡発生などを最小化させることができる。また、それでも飛散する洗濯水はタブカバー８００の突出部８１１ａによって外槽１０２の外壁面に流出されることが防止される。一方、図３７Ａに示すように、主流路Ｗ１の出口Ｐ側に緩衝部材８１５を設置し、洗濯水を先に前記緩衝部材８１５に衝突させることにより、洗濯水が垂直方向転換部材８１３にぶつかる時に発生する洗濯水の飛散をさらに効率よく防止することが好ましい。前記緩衝部材８１５は洗濯水の流れと大略垂直に、即ち、補助方向転換部材８１４の前端から主方向転換部材８１２の前端に連結され、高さは主方向転換部材８１２および補助方向転換部材８１４より低く形成される。図３７Ｂに示すように、緩衝部材の代わりに主流路の出口Ｐ部分に傾斜部分８１７を形成させることも可能である。
【００８７】
後述する第８実施例は、第７実施例を内槽１０３の両方向に回転する場合、即ち、正回転および逆回転する場合に適するように改良したものである。以下、図３８を参照して、第８実施例の全体的な構成を説明する。
【００８８】
第８実施例によるタブカバー８００も第７実施例と同様に主方向転換部材、補助方向転換部材、垂直方向転換部材を備える。ただ、本実施例では、内槽の両方向回転に対応するように第１主方向転換部材８１２と第２主方向転換部材８１２ａとを備え、補助方向転換部材８１４ａの構造を改良した。詳細には、タブカバー８００の上面部８１１の底面には、所定の間隔で第１主方向転換部材８１２が形成され、また前記第１主方向転換部材８１２に対称されるように第２主方向転換部材８１２ａが形成される。そして、補助方向転換部材８１４ａの前端は、内径から始まって大略タブカバーと同心円を描きながら延長され、後端は内径に再び連結される。即ち、補助方向転換部材８１４ａの前端は第１主方向転換部材８１２の前端と所定の間隔離隔して位置し、後端は直前第２主方向転換部材８１２ａの前端と所定の間隔離隔して位置される。そして、前記第１主方向転換部材と第２主方向転換部材８１２ａとの間には変形を防止するために多数の補強部材８１８が形成されることが好ましく、前記補強部材８１８は同心円に設置されることがさらに好ましい。また、外側補強部の一部を切欠してもよい。以下、前記補強部材８１８を設置する他の理由を説明する。主方向転換部材（８１２、８１２ａ）を通過した洗濯水は第１主方向転換部材８１２と第２主方向転換部材８１２ａとの間で渦流を起こすことができ、または、この洗濯水が主流路の出口側に流れ、主流路からの洗濯水の流れを妨げることもできる。したがって、補強部材８１８によって洗濯水を第１主方向転換部材８１２と第２主方向転換部材８１２ａとの間に溜めることで、ある程度主流路でこの洗濯水を妨げることを防止する。従って、タブカバーは第１主方向転換部材８１２と第２主方向転換部材８１２ａによって所定の空間Ｓずつ分けられる。そして、各単位空間Ｓは主方向転換部材８１２及び直前の補助方向転換部材８１２ａによって形成される主流路Ｗ１と、補助方向転換部材８１２ａと垂直方向転換部材８１３によって形成される補助流路Ｗ２とから構成される。また、第１主方向転換部材８１２と隣接している第２主方向転換部材８１２ａとの間に空間も形成される。従って、内槽が正方向回転時（図面上、反時計方向）にはタブカバーでポンピングされた洗濯水の大部分は、実線の矢印で示すように、前記タブカバーによって誘導され、摩擦抵抗を最小化しながら正方向用出口Ｐ３を通して内槽に噴射される。逆に、内槽が逆方向回転時（図面上、時計方向）にはタブカバーでポンピングされた洗濯水の大部分は、前記タブカバーによって誘導され、摩擦抵抗を最小化しながら破線の矢印で示すように逆方向用出口Ｐ４を通して内槽に噴射される。従って、第８実施例では正逆方向回転に全て効率よく対応できる。
【００８９】
一方、図３９に示すように、正方向出口Ｐ３及び逆方向出口Ｐ４の一部を切欠して通孔部８１６を形成することにより、洗濯水が垂直方向転換部材８１３にぶつかる時の衝撃で洗濯水が飛散することを最小化することもできる。一方、図４０及び図４１に示すように、第７実施例と同様に、緩衝部材８１５または傾斜部８１７を設置して洗濯水の飛散をさらに効率よく防止することも勿論可能である。また、タブカバーと外槽との間にシーリング部材を介在させるのが好ましい。
【００９０】
（発明の効果）
説明してきたように、透過方式洗濯機、その制御方法およびタブカバーは以下の効果を有する。
【００９１】
第１、本発明による透過方式洗濯機は、透過洗濯、攪拌洗濯及び復原水流洗濯を適切に組み合わせて使用することができる。従って、洗濯物の損傷や縺れを最小化しながらも洗濯効率を向上させることができる。また、少量の洗濯水でも洗濯が可能なので、使用する水及び洗剤量を減らすことができ、排水時間を減縮して全体の洗濯時間を減らすことができる。
【００９２】
第２、本発明によるタブカバーを用いると、ポンピングされた洗濯水の漏洩や飛散などを防止することができ、摩擦損失無しで洗濯水を内槽に案内することができるので、洗濯水のポンピング効率を高めることができる。また、内槽の高速回転により循環する洗濯水による騒音、泡の発生を最小化することができる。
【００９３】
第３、本発明によるタブカバーを用いると、ポンピングされた洗濯水を内槽の中心に噴射させることができるので、洗濯効率を高めることができる。
【００９４】
本発明の透過方式洗濯機、その制御方法およびタブカバーを、発明の精神及び範囲を逸脱することなく様々な改変および変更を行うことは明らかである。従って、特許請求の範囲およびその等価物であるならば、本発明はその改変および変更を含むことを意図する。
【図１】
0004741041.tif 000002
【図２】
0004741041.tif 000003
【図３Ａ】
0004741041.tif 000004
【図３Ｂ】
0004741041.tif 000005
【図３Ｃ】
0004741041.tif 000006
【図４】
0004741041.tif 000007
【図５】
0004741041.tif 000008
【図６】
0004741041.tif 000009
【図７】
0004741041.tif 000010
【図８】
0004741041.tif 000011
【図９】
0004741041.tif 000012
【図１０】
0004741041.tif 000013
【図１１】
0004741041.tif 000014
【図１２】
0004741041.tif 000015
【図１３】
0004741041.tif 000016
【図１４】
0004741041.tif 000017
【図１５】
0004741041.tif 000018
【図１６】
0004741041.tif 000019
【図１７】
0004741041.tif 000020
【図１８】
0004741041.tif 000021
【図１９】
0004741041.tif 000022
【図２０】
0004741041.tif 000023
【図２１】
0004741041.tif 000024
【図２２】
0004741041.tif 000025
【図２３】
0004741041.tif 000026
【図２４】
0004741041.tif 000027
【図２５】
0004741041.tif 000028
【図２６】
0004741041.tif 000029
【図２７】
0004741041.tif 000030
【図２８】
0004741041.tif 000031
【図２９】
0004741041.tif 000032
【図３０】
0004741041.tif 000033
【図３１】
0004741041.tif 000034
【図３２】
0004741041.tif 000035
【図３３】
0004741041.tif 000036
【図３４】
0004741041.tif 000037
【図３５】
0004741041.tif 000038
【図３６】
0004741041.tif 000039
【図３７Ａ】
0004741041.tif 000040
【図３７Ｂ】
0004741041.tif 000041
【図３８】
0004741041.tif 000042
【図３９】
0004741041.tif 000043
【図４０】
0004741041.tif 000044
【図４１】
0004741041.tif 000045